(57)【要約】【課  題】従来の建物に使用されている建具で床面と建具の関係においてドアの場合は床面に段差を設けるか、または平面床にする場合はドアと平面床との間に閉めた状態であっても隙間が出来ていた、また引き戸の場合は閉めた状態のときであっても引き戸と床面とは隙間があった、この為部屋と部屋を区切る目的の建具を閉めた状態のときでも下部に隙間があるためにすきま風や水分の通過等また音が伝わりやすかった。【解決手段】段差のない平面床にて２つの部屋に出入り用の建具ドアまた引き戸を閉じた状態のときは【図１】斜視図の封し機構４が建具より押し下げられて平面床と建具の隙間を塞ぎ、建具を開けた状態のときは封し機構４は建具内に引き上げられ収納されるので建具はスムーズに移動させることが出来る。【選択図】  図１
2005009278.tif 000002
【特許請求の範囲】
【請求項１】
部屋と部屋の出入りする為に設けられた建具（引き戸・ドア）を閉じた時に左右側と上部に戸あたり等を設けてすきま風を簡単に止めることが出来るが、床面をバリアフリー（平面床）にすると段差を作る事が出来ない為に建具の下側に隙間が出来てしまうので、すきま風や水分等が通過してしまう、その隙間を建具が閉じた状態の時は遮断し、建具を開けたときには空間を保つようにした。
【請求項２】
建具を開けて、動かす時は床面と建具の間に隙間が出来るようにして開閉がスムーズになるようにした。
【請求項３】
玄関や浴室等に設ければ水分の通過も防げるし使用場所等も多岐に使用できる。
【発明の詳細な説明】
【０００１】
この発明は、床面に段差部分を作らずして２つの部屋を仕切る建具ドア・引き戸に取り付けるものである。
【０００２】
【従来の技術】
建物内の部屋と部屋を区切る建具を閉じた状態の時は、ドアの場合は床面に段差を設けていた、また床面を平面にした状態のときは隙間を取っていた。引き戸の場合は床面と建具の間に隙間があったので建具を閉じた状態であっても床面との間からすきま風の移動があった。
【０００３】
【発明が解決しようとする課題】
以上に述べた従来の開閉する建具では閉じた状態の時は床面に段差をつけてしまうか、または隙間があってすきま風が通過していた。
【０００４】
本発明は、このような従来の構成が有していた問題を解決しようとするものであり、開閉する建具を閉じた状態の時に床面と建具の間の隙間を塞ぎ、すきま風や水分の通過を阻止する目的とするものである。
【０００５】
開閉建具を開けるときは建具と平面の床面との間に間隔を保ち開閉をスムーズにする目的とするものである。
【０００６】
【課題を解決するための手段】
この発明は平面の床面に２つの部屋の間仕切り用建具を閉めたときには建具の下部に取り付けた封し部材が建具本体より移動して封し機構を有し床面と建具の隙間を塞ぐとする、建具の開閉に伴い封し部材を上下移動させる検知機構部材を有している。
【０００７】
平面の床面に２つの部屋の間仕切り用建具を開けたときには建具の下部に取り付けた封し部材が建具本体に移動して収納される検知機構を有している。
【０００８】
この発明はパッケージに収めることが出来生産管理が容易であり、既存の建具ドアまた引き戸に後付け用の製品にすることも出来る。
【０００９】
この発明装置は扉の大きさサイズに合わせて製品化することが出来る。
【００１０】
この発明は永久磁石にて説明しているが特大寸法の建具に使用する場合は、電磁石を使用することが出来る。
【００１１】
この発明の封し部材の床面に接する部分をモヘヤまたはゴム製品にすることで用途が多岐にわたる。
【００１２】
この本体のケースはアルミまたはプラスチック等磁石に作用されない材質なら使用できるので製作が容易である。
【００１３】
【発明の実施の形態】
以下、本発明の実施の形態を図１〜図１３に基づいて説明する。
【００１４】
【実施例】以下、本発明の実施の形態を図２〜図７は建具のうちドアに、図８〜図１３は建具のうち引き戸に、この発明部品を取り付けて作動させることに基づいて説明する。
【００１５】
図２〜図４においては、ドアを閉めた状態によりノブ９はノブの当り受け止め板１２により押されて水平永久磁石１が右方向に移動する。
【００１６】
水平永久磁石左側と右側は磁石連結棒１１により同じくして移動する。
【００１７】
ドアを閉めたことにより磁石移動調整バネ７は押されて縮む。
【００１８】
水平移動永久磁石１が右移動すると上下移動永久磁石２のＳ極の上に水平移動磁石のＳ極が上に重なり反発しあう、そして上下移動封し機構３が押し下げられる。
【００１９】
ドアを閉めた時には封し機構３が押し下げられて空気や水分の通過を阻止する。
【００２０】
上下移動封し機構３の上下移動の強弱は封し機構稼動調整バネ５と調節ネジ６にて行なう。
【００２１】
図５〜図７おいては、ドアを開ける状態にするとノブ９はドアを閉めた状態のときノブ当り受け止め板１２より開放され水平移動調整バネ７の押す力により水平移動磁石１は左側に移動する。
【００２２】
ドアを開けると水平移動永久磁石１のＳ極とＮ極は、上下移動永久磁石２のＮ極とＳ極の真上になり共に引き付けあい上下移動封し機構３は上に引き上げられる。
【００２３】
封し機構が上に引き上げられるとドアと平面床との間に間隔があきドアはスムーズに開けることが出来る。
【００２４】
図８〜図１０においては、引き戸を閉めた状態により検知磁石１４のＮ極とＳ極が戸当り側外枠に取り付けた受け検知磁石１５のＳ極とＮ極とが接近して共に引きつけ合い連結棒にて接続されている水平移動永久磁石１は左方向に移動する。
【００２５】
検知磁石１４と水平永久磁石左側１と油圧装置１３と水平永久磁石右側１と水平移動調整バネ７は連結棒１１にて接続されていて同じにして動く。
【００２６】
引き戸を閉めたことにより水平移動調整バネ７は伸びる。
【００２７】
水平移動永久磁石１が左移動すると上下移動永久磁石２のＮ極の上に水平移動磁石のＮ極が上に重なり反発しあう、そして上下移動封し機構３が押し下げられる。
【００２８】
引き戸を閉めた時には封し機構３が押し下げられて空気や水分の通過を阻止する。
【００２９】
上下移動封し機構３の上下移動の強弱は封し機構稼動調整バネ５と調節ネジ６にて行なう。
【００３０】
図１１〜図１３においては、引き戸を開ける状態にすると移動検知磁石１４と受け検知磁石１５は離れ閉めた時に引き寄せられていた力は解放され無力になり、水平移動調整バネ７の縮む力を利用して右側に移動させられる。
【００３１】
引き戸を開けると水平移動永久磁石１のＳ極とＮ極は、上下移動永久磁石２のＮ極とＳ極の真上になり共に引き付けあい上下移動封し機構３は上に引き上げられる。
【００３２】
封し機構が上に引き上げられると引き戸と平面床との間に間隔があき引き戸はスムーズに開けることが出来る。
【００３３】
引き戸を閉めた時は、移動検知磁石１４をゆっくりと移動させるように油圧装置１３内の油が少しずつｂ室内よりａ室内に流れ込むよう小さな穴のあいた逆止弁を取り付けるとより良い。
【００３４】
引き戸を開ける時は、移動検知磁石１４を早く移動させるように油圧装置１３ないの逆止弁は開き油がａ室内よりｂ室内に抵抗なく流れるこむようにする。
【００３５】
本発明は、磁石にあるＳ極とＮ極の引き付けあい、また反発しあう特性を利用して封し装置を稼動させることを原理としての発明である。
【００３６】
本発明は、永久磁石にて説明をしているが用途によっては永久磁石と電磁石との併用して使用することも出来る。
【００３７】
本発明は、バリアフリー平面床上に建具ドアまたは引き戸を設置した状況での床面と建具の間隔を閉めた状況のときは空気や水分またほこり等の通過を塞ぐことが出来、また建具を開けたときはスムーズに動くようにした、以上のように、本実施形態によれば部屋と部屋との音をさえぎる消音効果も得られるものである。
【００３８】
【発明の効果】
上述したように本発明の建具は、バリアフリー平面床上に建具ドアまたは引き戸を設置した状況での床面と建具の間隔を閉めた状況のときは空気の通過を塞ぎあけた状況のときは開放でき建具をスムーズに移動させることが出来る効果を発揮する。
【図面の簡単な説明】
【図１】この発明の一実施例に係わる建具ドアに設けられた封し機構の斜視図である。
【図２】この発明の一実施例に係わる建具ドアを閉めた時に設けられた封し機構が下に移動してドアと平面床との空間が塞がれた正面である。
【図３】図２で示されたドアの封し機構が下がった状態の側面図である。
【図４】図２で示されたドアの封し機構の下がった状態の上から見た平面図である。
【図５】建具ドアを開いた時に設けられた封し機構が上に移動してドアと平面床との空間が出来た正面図である。
【図６】図５で示されたドアの封し機構が上がった状態の側面図である。
【図７】図５で示されたドアの封し機構の上がった状態の上から見た平面図である。
【図８】この発明の一実施例に係わる建具引き戸を閉めた時に設けられた封し機構が下に移動して引き戸と平面床との空間が塞がれた正面図である。
【図９】図８で示された引き戸の封し機構が下がった状態の側面図である。
【図１０】図８で示された引き戸の封し機構の下がった状態の上から見た平面図である。
【図１１】建具引き戸を開いた時に設けられた封し機構が上に移動して引き戸と平面床との空間が出来た正面図である。
【図１２】図１１で示された引き戸の封し機構が上がった状態の側面図である。
【図１３】図１１で示された引き戸の封し機構の上がった状態の上から見た平面図である。
【符号の説明】
Ｓ    永久磁石のＳ極
Ｎ    永久磁石のＮ極
１    水平移動永久磁石
２    上下移動永久磁石
３    上下移動封し機構
４    封し機構下部のモヘヤまたはゴム
５    封し機構稼動調整バネ
６    調整バネの調節ネジ
７    水平移動永久磁石の水平移動調整バネ
８    水平移動永久磁石とノブの長さ調整棒
９    ドア開閉により水平移動永久磁石の水平移動させるノブ
１０  本体のケース
１１  水平移動永久磁石連結棒
１２  ノブの当り受け止め板外側側
１３  油圧装置
１４  引き戸用水平永久磁石を作動させる移動検知磁石
１５  引き戸用水平移動磁石作動用の受け検知磁石外枠側
１６  油圧装置止めネジ
Ａ    ドア丁番
Ｂ    ドア本体枠丁番側
Ｃ    ドア本体枠取っ手側
Ｄ    ドア外枠丁番側
Ｅ    ドア外枠取っ手側
Ｆ    平面床
Ｇ    引き戸本体枠戸当り側
Ｈ    引き戸本体枠戸当り反対側
Ｉ    引き戸、戸当り側外枠
ａ    油圧装置ａ室
ｂ    油圧装置ｂ室
ＤＷ  ドア本体
ＰＤＷ  引き戸本体
ＡＬ  引き戸Ｖ字形レール
ＤＴ  引き戸戸車
【図１】
2005009278.tif 000003
【図２】
2005009278.tif 000004
【図３】
2005009278.tif 000005
【図４】
2005009278.tif 000006
【図５】
2005009278.tif 000007
【図６】
2005009278.tif 000008
【図７】
2005009278.tif 000009
【図８】
2005009278.tif 000010
【図９】
2005009278.tif 000011
【図１０】
2005009278.tif 000012
【図１１】
2005009278.tif 000013
【図１２】
2005009278.tif 000014
【図１３】
2005009278.tif 000015